(57)【要約】【課題】形状にバラつきのある作物の蔕部及び尻尾部を、適正位置で一挙に切断処理するための作物の調整装置を提供する。【解決手段】案内体（８，８）を構成する案内板（８ａ，８ａ、８ｂ，８ｂ）の間に作物の蔕部と尻尾部を支持する支持間隔部（８ｃ，８ｃ）を構成し、該左右支持間隔部（８ｃ，８ｃ）を広狭に調節する間隔部調節手段（５ａ，５ｂ，５ｃ）を設け、前記案内板（８ａ，８ａ、８ｂ，８ｂ）の左右外側には前記左右支持間隔部（８ｃ，８ｃ）から左右外側に突出した作物の蔕部と尻尾部を一挙に切断する左右切断装置（１３，１３）を設ける。【選択図】図２
2008000868.tif 000002
【特許請求の範囲】
【請求項１】
案内体（８，８）を構成する案内板（８ａ，８ａ、８ｂ，８ｂ）の間に作物の蔕部と尻尾部を支持する支持間隔部（８ｃ，８ｃ）を構成し、該左右支持間隔部（８ｃ，８ｃ）の間隔を調節する間隔部調節手段（５ａ，５ｂ，５ｃ）を設け、前記案内板（８ａ，８ａ、８ｂ，８ｂ）の左右外側には前記左右支持間隔部（８ｃ，８ｃ）に支持され左右外側に突出している作物の蔕部と尻尾部を切断する左右切断装置（１３，１３）を設けたことを特徴とする作物の調整装置。
【請求項２】
前記案内体（８，８）の案内板（８ａ，８ａ、８ｂ，８ｂ）の左右支持間隔部（８ｃ，８ｃ）の間隔を調節する間隔部調節手段（５ａ，５ｂ，５ｃ）は、左右同時に調節する間隔部全体調節手段（５ａ）と、左右支持間隔部（８ｃ，８ｃ）を左右別々に調節する間隔部個別調節手段（５b，５ｃ）とを設けて構成することを特徴とする請求項１記載の作物の調整装置。
【発明の詳細な説明】
【技術分野】
【０００１】
本発明は、作物の調整装置に関するものである。
【背景技術】
【０００２】
ねぎ等の定寸切断装置において、ねぎ載置用の多数の受皿を搬送する第１の無端帯搬送手段と、受皿に載置されたねぎの根元を保持する根元支え部材を同期搬送する第２搬送手段と、ねぎの根元及び葉先を切断して予定の長さに切り揃える一対の切断装置を具備したものは公知である（特許文献１）。
【０００３】
大根等の定寸切断装置において、大根を載置して搬送する搬送装置を設け、この搬送装置には大根の根部を切断する根部切断装置を設け、大根の茎葉部を切断する切断装置を設けたものは公知である（特許文献２）。
【特許文献１】特開平８−３３６７９４号公報
【特許文献２】特開平１１−３１８１７８号公報
【発明の開示】
【発明が解決しようとする課題】
【０００４】
前述のような構成では、ねぎや大根のように比較的形状の揃っているものは受皿に載置搬送しながら両端部を切断することはできるが、サツマイモのように形状にバラツキのある作物では、蔕部及び尻尾部の適正位置を一挙に切断できないという不具合があった。そこで、この発明は形状にバラつきのある作物の蔕部及び尻尾部を、適正位置で一挙に切断処理するための作物の調整装置を提供しようとするものである。
【課題を解決するための手段】
【０００５】
請求項１の発明は、案内体（８，８）を構成する案内板（８ａ，８ａ、８ｂ，８ｂ）の間に作物の蔕部と尻尾部を支持する支持間隔部（８ｃ，８ｃ）を構成し、該支持間隔部（８ｃ，８ｃ）を広狭に調節する間隔部調節手段（５ａ，５ｂ，５ｃ）を設け、前記案内板（８ａ，８ａ、８ｂ，８ｂ）の左右外側には前記支持間隔部（８ｃ，８ｃ）に支持され左右外側に突出している作物の蔕部と尻尾部を切断する左右切断装置（１３，１３）を設けたことを特徴とする作物の調整装置とする。
【０００６】
前記構成によると、案内体（８，８）を構成する案内板（８ａ，８ａ、８ｂ，８ｂ）の間に構成された左右方向の支持間隔部（８ｃ，８ｃ）に、作物の蔕部と尻尾部が支持され、案内板（８ａ，８ａ、８ｂ，８ｂ）の左右外側に位置する左右切断装置（１３，１３）により、支持間隔部（８ｃ，８ｃ）から左右外側に突出した作物の蔕部と尻尾部が一挙に切断される。また、支持間隔部（８ｃ，８ｃ）の間隔を調節することにより、作物の種々の大きさの作物の蔕部及び尻尾部を支持することができる。
【０００７】
前記案内体（８，８）の案内板（８ａ，８ａ、８ｂ，８ｂ）の左右支持間隔部（８ｃ，８ｃ）の間隔を調節する間隔部調節手段（５ａ，５ｂ，５ｃ）は、左右同時に調節する間隔部全体調節手段（５ａ）と、左右支持間隔部（８ｃ，８ｃ）を左右別々に調節する間隔部個別調節手段（５b，５ｃ）とを設けて構成することを特徴とする請求項１記載の作物の調整装置とする。
【０００８】
前記構成によると、請求項１の発明の前記作用に加えて、間隔部調節手段（５ａ，５ｂ，５ｃ）により、案内体（８，８）の案内板（８ａ，８ａ、８ｂ，８ｂ）の支持間隔部（８ｃ，８ｃ）を、間隔部全体調節手段（５ａ）によって左右同時に間隔を調節したり、あるいは、間隔部個別調節手段（５ｂ，５ｃ）によって左右別々に間隔を調節することにより、大きさの異なる作物や、いびつな形状の作物の蔕部及び尻尾部を、適切な位置で一挙に切断することができる。
【発明の効果】
【０００９】
請求項１の発明は、案内体（８，８）を構成する案内板（８ａ，８ａ、８ｂ，８ｂ）の間に構成する支持間隔部（８ｃ，８ｃ）に作物の蔕部と尻尾部を支持し、左右切断装置（１３，１３）により一挙に切断することができ、能率的に調整作業をすることができる。また、支持間隔部（８ｃ，８ｃ）の間隔を調節できることにより、大きさの異なる作物の蔕部及び尻尾部を適正に支持し、蔕部及び尻尾部を適正位置から切断することができる。
【００１０】
請求項２の発明は、支持間隔部（８ｃ，８ｃ）の間隔を、間隔部全体調節手段（５ａ）によって左右同時に調節したり、間隔部個別調節手段（５ｂ，５ｃ）によって左右別々に調節することにより、大きさの異なる作物や、いびつな形状の作物の蔕部及び尻尾部を、適切な位置で一挙に切断することができる。
【発明を実施するための最良の形態】
【００１１】
以下、図面に基づきこの発明の実施形態を説明する。図１は作物調整機Ａの正面図、図２はその平面図である。
フレーム１に支持台２を取り付け、該支持台２の略中央には一端にネジ溝を刻み雄ネジとした調整軸３ａを取り付けると共に、支持台２の左右端には一端を中空にしてネジ溝を刻み雌ネジとした調整軸３ｂ、３ｃを所定の範囲内で前後移動できるように取り付ける。そして、該調整軸３ａのネジ溝に勘合する雌ネジ体６ａを取り付け、３ｂ，３ｃのネジ溝に勘合する雄ネジ体６ｂ，６ｃをフレーム７に固定して取り付けると共に、調整軸３ａ，３ｂ，３ｃの他端には調節ダイヤル５ａ，５ｂ，５ｃを取り付ける。また、ガイド体８、８を構成するガイド板８ａ，８ａを前記支持台２に固定するとともに、ガイド板８ｂ，８ｂを前記調整軸３ｂ，３ｃにストッパ９，９を介して、一定の支持間隔部８ｃ，８ｃを空けて取り付ける。さらに、前記フレーム１の左右両端にフレーム１０ａ，１０ａ，１０ｂ，１０ｂを取り付け、該フレーム１０ａ，１０ａに軸受１１，１１を取り付けると共に、回転軸１２，１２を軸着する。そして、該回転軸１２，１２に回転式の切断装置１３，１３を取り付けると共に、該回転軸１２，１２の一端にモーター１４，１４を取り付ける。また、フレーム１０ｂ，１０ｂの一端には、スクレーパ１５，１５を該切断装置１３，１３の回転軌跡外に取り付ける。なお、調整ダイヤル５ａは支持間隔部８ｃ，８ｃを左右同時に調節する間隔部全体調節手段であり、調整ダイヤル５ｂ，５ｃは支持間隔部８ｃ，８ｃを左右別々に調節する間隔部個別調節手段である。
【００１２】
前記構成によれば、調整ダイヤル５ａを正逆回転操作すると、調整軸３ａがフレーム７に固定された雌ネジ体６ａにねじ込まれ、あるいは緩められてフレーム７が前後に移動させられる。そして、調節軸３ｂ，３ｃがフレーム７に連動して前後に移動させられると、ガイド板８ｂ、８ｂも連動して前後に移動させられるため、ガイド板８ａ，８ａと８ｂ，８ｂ間の支持間隔部８ｃ，８ｃを左右同時に調節することができる。これにより、サツマイモのサイズに合わせて支持間隔部８ｃ，８ｃを調節することができるので、より適切な位置でサツマイモの蔕部と尻尾部を処理することができる。
【００１３】
また、調節ダイヤル５ｂ又は５ｃを正逆回転操作すると、調節軸３ｂ又は３ｃがフレーム７に固定された雄ネジ体６ｂ又は６ｃをねじ込み、あるいは緩めることによって、雄ネジ体６ｂ又は６ｃは前後に移動させられる。雄ネジ体６ｂ又は６ｃが前後に移動することによって、左右どちらかのガイド板８ａと８ｂ間の支持間隔部８ｃ，８ｃを左右別々に調節することができる。これにより、サツマイモのサイズや形状に合わせて左右別々に支持間隔部８ｃ，８ｃを調節することができるので、より適切な位置でサツマイモの蔕部と尻尾部を処理することができる。
【００１４】
さらに、切断装置１３，１３がモーター１４，１４によって自動的に回転させられていることによって、作業者がサツマイモを支持間隔部８ｃ，８ｃに載置するだけで蔕と尻尾が切断されるため、効率よく作業を行うことができる。また、切断装置１３，１３の下方は空間として開放されているため、切断された蔕部や尻尾部が堆積し、切断装置１３，１３の回転を妨げにくく、効率の良い作業を行うことができる。そして、切断装置１３，１３の回転軌跡外にスクレーパ１５，１５が設けられていることによって、切断装置に引っかかっている蔕部や尻尾部を取り除くことができ、より確実にサツマイモの蔕部と尻尾部を処理することができる。
【００１５】
なお、この切断装置１３，１３の回転方向を、切断装置１３，１３がサツマイモの蔕と尻尾を上方から押し切る回転方向とすると、支持間隔部８ｃ，８ｃに載置したサツマイモの動きを制限するため、蔕部と尻尾部を確実に切断することができる。
【００１６】
以下、本件洗浄機の別実施例を説明する。
図３、図４で示す作物の調整装置は、フレーム１とフレーム７の間に軸１６，１６を取り付けると共に、ガイド板８ａ，８ａ，８ｂ，８ｂを該軸１６，１６に、バネ体１７，１７，１７，１７を挟んで、一定の支持間隔部８ｃ，８ｃを空けて取り付ける。また、前記フレーム１の左右両端にフレーム１０ａ，１０ａ，１０ｂ，１０ｂを取り付け、該フレーム１０ａ，１０ａに軸受１１，１１を取り付けると共に、回転軸１２，１２を軸着する。そして、該回転軸１２，１２に回転式の切断装置１３，１３を取り付けると共に、該回転軸１２，１２の一端にモーター１４，１４を取り付ける。また、フレーム１０ｂ，１０ｂの一端には、スクレーパ１５，１５を該切断装置１３，１３の回転軌跡外に取り付けることによって、作物の調整装置が構成される。
【００１７】
前記構成によれば、ガイド板８ａ，８ａ，８ｂ，８ｂはバネ体１７，１７，１７，１７の規制を受けながら軸１６，１６上を前後方向に移動することができるように設けられているため、サツマイモを支持間隔部８ｃ、８ｃ間に載置して上方から押圧すると、サツマイモのサイズや形状に合わせてガイド板８ａ，８ａはフレーム１側に、８ｂ，８ｂはフレーム１６側に移動するので、蔕部と尻尾部を切断するのに最適な位置でサツマイモを載置することができ、サツマイモの商品価値を向上させることができる。
【００１８】
図５及び図６で示す作物の調整装置は、フレーム１にフレーム１０ａ，１０ａを取り付けると共に、フレーム７にフレーム１８ａ，１８ａを取り付ける。そして、複数のスリットを備えるガイド体１９，１９の前後下端部を該フレーム１とフレーム７との間に固定するとともに、前後上端部をフレーム１０ａ，１０ａと１０ｂ，１０ｂとの間に固定する。また、該フレーム１の左右両端に軸受１１，１１を取り付け、フレーム１６の左右両端に軸受２０，２０を取り付けると共に、回転軸２１，２１を軸着する。そして、該回転軸２１，２１に回転式の切断装置１３，１３を取り付けると共に、モーター１４，１４を取り付けることによって、作物の調整装置が構成される。
【００１９】
前記構成によれば、ガイド体１９，１９に複数のスリットが設けられているため、作物のサイズや形状に対応するスリットに蔕部と尻尾部を載置することができるので、蔕部と尻尾部を最適な位置で切断できるため、サツマイモの商品価値を向上させることができる。
【００２０】
図７及び図８で示す作物の調整装置は、フレーム２２にスロープ３５とフレーム２３，２３を取り付けると共に、該フレーム２３，２３に回動支点２４，２４を固定する。また、該回動支点２４，２４にフレーム２５，２５の一端を固定し、該フレーム２５，２５の他端には回動軸２６，２６を固定すると共に、前記フレーム２３，２３に支持間隔部２７ａ，２７ａを有するガイド体２７，２７を取り付ける。そして、前記フレーム２２の上方には、回動軸２６，２６の中心軸２６ａ，２６ａが移動する溝を刻んだ支持板２８を、中心軸２６ａ，２６ａの下方にワッシャ３０，３０とボルト３１，３１を取り付けて設ける。さらに、該支持板２８にフレーム３２を取り付け、該フレーム３２に押圧体３３とレバー３４を取り付ける。また、該フレーム２３，２３に軸受１１，１１を取り付け、回転軸１２，１２を軸着すると共に、モーター１４，１４によって回転する回転式の切断装置１３，１３を取り付けることによって、作物の調整装置が構成される。
【００２１】
前記構成によれば、切断装置１３，１３でサツマイモの蔕部と尻尾部を切断した後、レバー３４を機体後側に向けて押すことによって中心軸２６ａ、２６ａが溝２９に沿って移動し、回動支点２４，２４を中心にしてフレーム２３，２３，２５，２５が移動する。これにより、支持板２８がサツマイモの方に向かって移動し、押圧体３３がサツマイモを押すと共に、ガイド体２７，２７が機体前側に移動するため支持間隔部２７ａ，２７ａからサツマイモが解放され、サツマイモはスロープ３５を転がり落ちるため、切断後のサツマイモを取り上げる必要がなくなり労力が軽減される。
【００２２】
図９、図１０、図１１に示す作物の調整装置は、フレーム３６に支持板３７，３７を取り付けると共に、該支持板３７に、正面視で逆ハの字形状に曲げたガイド板３８ａ，３８ａとガイド板３８ｂ，３８ｂを、下側ほど支持間隔部３８ｃ，３８ｃが幅狭になるように取り付ける。また、該フレーム３６の内側両側面にモーター３９，３９を固定し、該モーター３９，３９に回転軸４０，４０を取り付けると共に、該回転軸４０，４０に両端に刃部を有する切断刃４１，４１を、前記ガイド板３８ａ，３８ａ，３８ｂ，３８ｂの幅内に略平行に取り付ける。そして、機体正面にコンベア装置４２を設けることによって、作物の調整装置が構成される。
【００２３】
前記構成によれば、ガイド板３８ａ，３８ａ，３８ｂ，３８ｂの支持間隔部３８ｃ，３８ｃが下側ほど幅狭になるように取り付けてあることによって、サツマイモのサイズや形状に応じた位置で蔕部及び尻尾部を切断することができるので、サツマイモの商品価値を高めることができる。また、両端に刃部を有する切断刃４１，４１が、ガイド板３８ａ，３８ａ，３８ｂ，３８ｂに対して略平行に設けられていることによって、切断した蔕部と尻尾部が切断刃４１，４１に絡みにくいため、切断刃４１，４１の回転が妨げられることが少なくなり、効率よく作業を行うことができる。さらにガイド板３８ａ，３８ａ，３８ｂ，３８ｂの幅内に切断刃４１，４１があることによって、サツマイモを載置する際に誤って指等を切断刃４１，４１に当ててしまい、怪我をすることを防止できるので、安全性を向上させることができる。
【００２４】
図１２、図１３に示す作物の調整装置は、搬送面の水平な第１搬送コンベヤ４３と、ローラコンベヤ４４と、搬送面の水平な第２搬送コンベヤ４５を、上手側から下手側に向けて順次引継ぎ搬送するように配設している。また、該第１搬送コンベヤ４３の左右一側にはサツマイモの蔕部を上下から挾んで支持する蔕ガイド装置４６を搬送方向に沿わせて設け、該蔕ガイド装置４６により第１搬送コンベヤ４３で搬送中のサツマイモの蔕部を支持するように構成している。
【００２５】
そして、前記蔕ガイド装置４６の搬送下手側には、蔕切断モーター４７ａと、切断軸４７ｂと、円板状の切断刃板４７ｃからなる蔕切断装置４７を設けている。さらに、該切断刃板４７ｃを蔕ガイド装置４６の左右外側寄りに接近して回転するように配置すると共に、切断刃板４７ｃが反時計方向に回転しながら、蔕ガイド装置４６から左右一側に突出している蔕部を切断するように構成している。さらに、前記第１搬送コンベヤ４３の下手側に設けているローラコンベヤ４４は、左右一側から左右他側に向けて下り傾斜状にして下手側に送り回転するように設けられる。また、第２搬送コンベヤ４５の左右他側には、サツマイモの尻尾部を上下から支持して搬送する尻尾ガイド装置４８を搬送方向に沿って設けている。さらに、該尻尾ガイド装置４８の上手側をローラコンベヤ４４の左右他側まで延長し、ローラコンベヤ４４の傾斜面に沿って左右他側に移動するサツマイモの尻尾部を尻尾ガイド装置４８の上手側で支持し、第２搬送コンベヤ４５にサツマイモを引き継ぎ搬送するように構成している。
【００２６】
そして、前記尻尾ガイド装置４８の搬送下手側には、尻尾切断モーター４９ａと、切断軸４９ｂと、円板の切断刃板４９ｃからなる尻尾切断装置４９を設けている。そして、この切断刃板４９ｃを尻尾ガイド装置４８の左右外側寄りに接近して回転するように配設し、切断刃板４９ｃが反時計方向に回転しながら、尻尾ガイド装置４８から左右他側に突出している尻尾部を切断する構成である。
【００２７】
前記構成によれば、作業者が第１搬送コンベヤ４３の左右一側部にサツマイモの本体部を載置し、蔕部を蔕ガイド装置４６に挿入支持すると、サツマイモはその蔕部が蔕ガイド装置４６に上下から支持されながら第１搬送コンベヤ４３により搬送され、搬送下手側で蔕切断装置４７の切断刃板４７ｃにより蔕部が切断され、蔕部切断後のサツマイモの本体部は下手側のローラコンベヤ４４に送られる。
【００２８】
また、ローラコンベヤ４４に搬送されたサツマイモは、ローラコンベヤ４４の傾斜面に沿って左右他側に移動し、サツマイモの尻尾部が尻尾ガイド装置４８により支持されながら第２搬送コンベヤ４５に引き継がれ、第２搬送コンベア４５によりサツマイモの尻尾部が支持されながら下手側に搬送され、尻尾切断装置４９の切断刃板４９ｃによりサツマイモの尻尾部が切断される。
【００２９】
前記構成によれば、蔕切断装置４７によって蔕部を切断されたサツマイモは、ローラコンベヤ４４によって軸心回りに自転しながら傾斜面に沿って左右他側に移動して第２搬送コンベヤ４５に送られるので、尻尾部の尻尾ガイド装置４８への引継ぎ精度が高められ、引き継がれた尻尾部の適正位置を尻尾切断装置４９で切断することができる。
【００３０】
また、第１搬送コンベヤ４３及び第２搬送コンベヤ４５の搬送面を水平面としているので、蔕切断装置４７及び尻尾切断装置４９によりサツマイモの蔕部及び尻尾部を軸芯方向に直交するように切断することができ、その後の調整作業である洗浄工程においてサツマイモの損傷を防止することができる。
【図面の簡単な説明】
【００３１】
【図１】根菜作物調整機の正面図
【図２】根菜作物調整機の平面図
【図３】根菜作物調整機の別実施例の正面図
【図４】根菜作物調整機の別実施例の平面図
【図５】根菜作物調整機の別実施例の正面図
【図６】根菜作物調整機の別実施例の平面図
【図７】根菜作物調整機の別実施例の正面図
【図８】根菜作物調整機の別実施例の平面図
【図９】根菜作物調整機の別実施例の正面図
【図１０】根菜作物調整機の別実施例の側面図
【図１１】根菜作物調整機の別実施例の平面図
【図１２】根菜作物調整機の別実施例の平面図
【図１３】根菜作物調整機の別実施例の側面図
【符号の説明】
【００３２】
間隔部調節手段     ５ａ，５ｂ，５ｃ
案内体             ８，８
案内板             ８ａ，８ａ，８ｂ，８ｂ
支持間隔部         ８ｃ，８ｃ
【図１】
2008000868.tif 000003
【図２】
2008000868.tif 000004
【図３】
2008000868.tif 000005
【図４】
2008000868.tif 000006
【図５】
2008000868.tif 000007
【図６】
2008000868.tif 000008
【図７】
2008000868.tif 000009
【図８】
2008000868.tif 000010
【図９】
2008000868.tif 000011
【図１０】
2008000868.tif 000012
【図１１】
2008000868.tif 000013
【図１２】
2008000868.tif 000014
【図１３】
2008000868.tif 000015